(57)【要約】【課題】   複合スイッチユニット１の構成部材を減らして、複合スイッチユニット１の構成の簡略化を図ると共に、複合スイッチユニット１の大型化を抑制する。【解決手段】  カバー１３の表面に円弧状の第１ガイド長穴１５が貫通して形成され、カバー１３の表面に円弧状の第２ガイド長穴１７が貫通して形成され、カバーに第１操作つまみ３１及び第２操作つまみ４７が回転可能に設けられ、第１ガイド長穴１５に案内される第１脚部３３に、第１摺動端子４３を有した第１スイッチ作動部材３７を一体的に設け、第２ガイド長穴１７に案内される第２脚部４９に、第２摺動端子６３を有した第２スイッチ作動部材５９を一体的に設けた。【選択図】  図１
2005123021.tif 000002
【特許請求の範囲】
【請求項１】
ユニットベースと、
前記ユニットベースに設けられ、導電性の第１スイッチパターンと導電性の第２スイッチパターンを有した配線板と、
前記ユニットベースに一体的に設けられ、表面に円弧状の第１ガイド長穴が貫通して形成され、更に、表面に前記第１ガイド長穴の曲率半径よりも長い曲率半径で前記第１ガイド長穴の曲率中心と同じ曲率中心を基点とした円弧状の第２ガイド長穴が貫通して形成され、前記配線板の一部又は全部を覆うカバーと、
前記カバーに回転可能に設けられ、前記カバーの表面に局部的に接触するように構成され、前記第１ガイド長穴に案内される第１脚部を有した第１操作つまみと、
前記第１脚部に一体的に設けられ、少なくとも一部分が前記カバー内に位置してあって、前記カバーの裏面に局部的に接触するように構成され、前記第１スイッチパターン上を摺動可能な第１摺動端子を有した第１スイッチ作動部材と、
前記カバーに回転可能に設けられ、前記第１操作つまみの外側に位置してあって、前記カバーの表面に局部的に接触するように構成され、前記第２ガイド長穴に案内される第２脚部を有した第２操作つまみと、
前記第２脚部に一体的に設けられ、前記カバー内における前記第１スイッチ作動部材の外側に位置してあって、前記カバーの裏面に局部的に接触するように構成され、前記第２スイッチパターン上を摺動可能な第２摺動端子を有した第２スイッチ作動部材と、を具備してなることを特徴とする複合スイッチユニット。
【請求項２】
前記第１操作つまみは円形状又はリング状であって、前記第２操作つまみはリング状であって、前記第２操作つまみが前記第１操作つまみの裏面又は側面に局部的に接触するように構成されていることを特徴とする請求項１に記載の複合スイッチユニット。
【請求項３】
前記配線板は、前記第１スイッチパターン及び前記第２スイッチパターンの他に、導電性の第３スイッチパターンを有してあって、前記カバーの表面に挿通穴が貫通して形成され、
前記カバー内に位置してあって、頂部が弾性変形によって反転復帰可能に構成され、頂部の反転動作によって前記第３スイッチパターンに接触可能な接触端子を有したドーム状の第３スイッチ作動部材と、
リング状の前記第２操作つまみの中央部に離脱不能に保持され、前記挿通穴に挿通して前記第３スイッチ作動部の頂部に接触するロッド部を有してあって、前記第３スイッチ作動部材の頂部を反転動作させる操作ボタンと、を具備してなることを特徴とする請求項２に記載の複合スイッチユニット。
【発明の詳細な説明】
【技術分野】
【０００１】
本発明は、ビデオカメラ、デジタルカメラ等の電気機器に用いられ、かつ複数種のスイッチ操作をするための複合スイッチユニット関する。
【背景技術】
【０００２】
今日市場でよく見かけるようになったビデオカメラ、デジタルカメラ等の電気機器は、通常、ズーム操作、モード切替操作等の複数種のスイッチ操作するための複合スイッチユニットを用いており、前記複合スイッチユニットの先行技術としては、例えば、特許文献１に示すものがあって、具体的な構成は次のようになる。
【０００３】
即ち、複合スイッチユニット（特許文献１の回転式電子部品(1)）はユニットベース（特許文献１の基台(10)）を具備しており、このユニットベースには、配線板（特許文献１の基板(20)）が設けられてあって、この配線板は第１スイッチパターン（特許文献１のスイッチパターン(23)）及び第２スイッチパターン（特許文献１のスイッチパターン(25)）を有している。
【０００４】
前記ユニットベースには、前記配線板の一部を覆う下部カバー（特許文献１の第二ケース(35)）が一体的に設けられおり、この下部カバーは側方へ突出したブロック部（特許文献１のクリック弾発ユニット収納部(41)）を有している。また、前記下部カバーには、前記配線板の一部を覆う上部カバー（特許文献１の第一ケース(110)）が一体的に設けられており、この上部カバーの裏面の中央部には、筒状のガイド部（特許文献１の収納部(111)）を有している。更に、前記上部カバーの表面には、円弧状のガイド長穴（特許文献１の挿通孔(113)）が貫通して形成されてあって、前記上部カバーの側壁には、切欠き部（特許文献１の切欠き部(119)）が形成されている。
【０００５】
前記上部カバーには、第１操作つまみ（特許文献１の第一回転つまみ(130)）が回転可能に設けられており、この第１操作つまみは前記ガイド長穴に案内される脚部（特許文献１の固定アーム(135)）を有している。また、前記脚部には、第１スイッチ作動部材（特許文献１の第一回転型物(70)）が一体的に設けられており、この第１スイッチ作動部材は前記第１スイッチパターン上を摺動する第１摺動端子（特許文献１の摺動子(210)）を有している。ここで、前記第１スイッチ作動部材は前記上部カバー内に位置してある。
【０００６】
前記ブロック部には、第２操作つまみ（特許文献１の操作部(55)）が回転可能（揺動可能）に支持されており、この第２操作つまみの先端部は前記切欠き部から前記上部カバー内に挿入されている。また、前記第２操作つまみの先端部には、第２スイッチ作動部材（特許文献１の本体部(51)）が一体的に設けられており、前記第２スイッチ作動部材は前記ガイド部に回転可能に支持されてあって、前記第２スイッチパターン上を摺動する第２摺動端子（特許文献１の摺動子(200)）を有している。ここで、前記第２スイッチ作動部材は前記上部カバー内に位置してあって、前記第１スイッチ作動部材に重なるようになっている。
【０００７】
従って、前記第１操作つまみを回転させることにより、前記第１スイッチ作動部材が前記第１操作つまみと一体的に回転して、前記第１摺動端子が前記第１スイッチパターン上を摺動する。これにより、前記第１スイッチパターンと前記第１摺動端子との電気的な接続状態を切り替わって、第１種のスイッチ操作をすることができる。
【０００８】
また、前記第２操作つまみを回転させることにより、前記第２スイッチ作動部材が前記第２操作つまみと一体的に回転して、前記第２摺動端子が前記第２スイッチパターン上を摺動する。これにより、前記第２スイッチパターンと前記第２摺動端子との電気的な接続状態を切り替わって、第２種のスイッチ操作をすることができる。
【特許文献１】特開２００３−１３３１０４号公報
【発明の開示】
【発明が解決しようとする課題】
【０００９】
ところで、前記複合スイッチユニットに前記第１操作つまみ及び前記第２操作つまみを具備するためには、前述のように前記複合スイッチユニットには、二つのカバー（前記下部カバーと前記上部カバー）が必要である。そのため、前記複合スイッチユニットの構成部材が増えて、前記複合スイッチユニットの構成が複雑化すると共に、前記複合スイッチユニットが大型化するという問題がある。
【００１０】
また、前記第２スイッチ作動部材が前記上部カバー内で前記第１スイッチ作動部材と重なり合っているため、二つのスイッチ作動部材（前記第１スイッチ作動部材と前記第２スイッチ作動部材）を合わせた厚さよりも前記上部カバー内の高さを高くする必要がある。そのため、前記複合スイッチユニットの厚さが厚くなって、前記複合スイッチユニットの薄型化の支障になるという問題がある。
【課題を解決するための手段】
【００１１】
請求項１に記載の発明にあっては、ユニットベースと、
前記ユニットベースに設けられ、導電性の第１スイッチパターンと導電性の第２スイッチパターンを有した配線板と、
前記ユニットベースに一体的に設けられ、表面に円弧状の第１ガイド長穴が貫通して形成され、更に、表面に前記第１ガイド長穴の曲率半径よりも長い曲率半径で前記第１ガイド長穴の曲率中心と同じ曲率中心を基点とした円弧状の第２ガイド長穴が貫通して形成され、前記配線板の一部又は全部を覆うカバーと、
前記カバーに回転可能に設けられ、前記カバーの表面に局部的に接触するように構成され、前記第１ガイド長穴に案内される第１脚部を有した第１操作つまみと、
前記第１脚部に一体的に設けられ、少なくとも一部分が前記カバー内に位置してあって、前記カバーの裏面に局部的に接触するように構成され、前記第１スイッチパターン上を摺動可能な第１摺動端子を有した第１スイッチ作動部材と、
前記カバーに回転可能に設けられ、前記第１操作つまみの外側に位置してあって、前記カバーの表面に局部的に接触するように構成され、前記第２ガイド長穴に案内される第２脚部を有した第２操作つまみと、
前記第２脚部に一体的に設けられ、前記カバー内における前記第１スイッチ作動部材の外側に位置してあって、前記カバーの裏面に局部的に接触するように構成され、前記第２スイッチパターン上を摺動可能な第２摺動端子を有した第２スイッチ作動部材と、を具備してなることを特徴とする。
【００１２】
請求項１に記載の発明特定事項によると、前記第１ガイド長穴の曲率半径よりも長い曲率半径で前記第１ガイド長穴の曲率中心と同じ曲率中心を基点とした円弧状の第２ガイド長穴が前記カバーの表面に貫通して形成されると共に、前記第１操作つまみが前記第１ガイド長穴に案内される前記第１脚部を有する他に、前記第２操作つまみが前記第２ガイド長穴に案内される前記第２脚部を有するため、一つの前記カバーに二つの操作つまみ（前記第１操作つまみと前記第２操作つまみ）を設けることができる。換言すれば、前記複合スイッチユニットに二つの操作つまみを具備するのに一つの前記カバーで足りる。
【００１３】
また、前記第２スイッチ作動部材が前記カバー内における前記第１スイッチ作動部材の外側に位置してあるため、前記カバー内の高さを二つのスイッチ作動部材（前記第１スイッチ作動部材と前記第２スイッチ作動部材）の厚さよりも大きくする必要がなくなる。
【００１４】
更に、前記第１操作つまみは前記カバーの表面に局部的に接触するように構成されると共に、前記第１スイッチ作動部材は前記カバーの裏面に局部的に接触するように構成されるため、前記第１操作つまみと前記第１スイッチ作動部材により前記カバーを挟みつつ、前記第１操作つまみ及び前記第１スイッチ作動部材は前記カバーに回転可能に局部的に支持される。これにより、前記第１操作つまみと前記カバーの表面との摩耗及び前記第１スイッチ作動部材と前記カバーの裏面との摩耗を抑制しつつ、前記第１操作つまみ及び前記第１スイッチ作動部材の回転動作を安定させることができる。
【００１５】
同様に、前記第２操作つまみは前記カバーの表面に局部的に接触するように構成されると共に、前記第２スイッチ作動部材は前記カバーの裏面に局部的に接触するように構成されるため、前記第２操作つまみと前記第２スイッチ作動部材により前記カバーを挟みつつ、前記第２操作つまみ及び前記第２スイッチ作動部材は前記カバーに回転可能に局部的に支持される。これにより、前記第２操作つまみと前記カバーの表面との摩耗及び前記第２スイッチ作動部材と前記カバーの裏面との摩耗を抑制しつつ、前記第２操作つまみ及び前記第２スイッチ作動部材の回転動作を安定させることができる。
【００１６】
なお、前述の作用の他に、前記複合スイッチユニットは次のような一般的な作用（一般的な動作）を奏する。
【００１７】
即ち、前記第１操作つまみを回転させることにより、前記第１スイッチ作動部材が前記第１操作つまみと一体的に回転して、前記第１摺動端子が前記第１スイッチパターン上を摺動する。これにより、前記第１スイッチパターンと前記第１摺動端子との電気的な接続状態を切り替わって、第１種のスイッチ操作をすることができる。
【００１８】
同様に、前記第２操作つまみを回転させることにより、前記第２スイッチ作動部材が前記第２操作つまみと一体的に回転して、前記第２摺動端子が前記第２スイッチパターン上を摺動する。これにより、前記第２スイッチパターンと前記第２摺動端子との電気的な接続状態を切り替わって、第２種のスイッチ操作をすることができる。
【００１９】
請求項２に記載の発明にあっては、請求項１に記載の発明特定事項の他に、前記第１操作つまみはリング状又は円形状であって、前記第２操作つまみはリング状であって、前記第２操作つまみが前記第１操作つまみの裏面又は側面に局部的に接触するように構成されていることを特徴とする。
【００２０】
請求項２に記載の発明特定事項によると、請求項１に記載の発明特定事項による作用の他に、前記第２操作つまみが前記第１操作つまみの裏面又は側面に局部的に接触するように構成されているため、前記第１操作つまみが前記カバーの他に前記第２操作つまみに回転可能に局部的に支持される。これにより、前記第１操作つまみと前記第２操作つまみとの摩耗を抑制しつつ、前記第１操作つまみの回転動作をより安定させることができる。
【００２１】
請求項３に記載の発明にあっては、請求項１又は請求項２に記載の発明特定事項の他に、前記配線板は、前記第１スイッチパターン及び前記第２スイッチパターンの他に、導電性の第３スイッチパターンを有してあって、前記カバーの表面に挿通穴が貫通して形成されてあって、
前記カバー内に位置してあって、頂部が弾性変形によって反転・復帰可能に構成され、頂部の反転動作によって前記第３スイッチパターンに接触可能な接触端子を有したドーム状の第３スイッチ作動部材と、
リング状の前記第２操作つまみの中央部に離脱不能に保持され、前記挿通穴に挿通して前記第３スイッチ作動部の頂部に接触するロッド部を有してあって、前記第３スイッチ作動部材の頂部を反転動作させる操作ボタンと、を具備してなることを特徴とする。
【００２２】
請求項３に記載の発明特定事項によると、請求項１又は請求項２に記載の発明特定事項による作用の他に、前記操作ボタンの頭部を押して、前記操作ボタンにより前記第３スイッチ作動部材の頂部を弾性変形によって反転動作させることにより、前記接触端子が前記第３スイッチパターンに接触する。これにより、前記第３スイッチパターンと前記接触端子との電気的な接続状態がＯＦＦからＯＮに切り替わる。
【００２３】
また、前記操作ボタンの押し状態を解除して、前記第３スイッチ作動部材の頂部を弾性変形によって復帰動作させることにより、前記接触端子が前記第３スイッチパターンから離れる。これにより、前記第３スイッチパターンと前記接触端子との電気的な接続状態がＯＮからＯＦＦに切り替わる。
【発明の効果】
【００２４】
請求項１から請求項３のうちのいずれかの請求項に記載の発明によれば、前記複合スイッチユニットに二つの操作つまみを具備するのに一つの前記カバーで足りるため、前記複合スイッチユニットの構成部材を減らして、前記複合スイッチユニットの構成の簡略化を図ることができると共に、前記複合スイッチユニットの大型化を抑制することができる。
【００２５】
また、前記カバー内の高さを二つのスイッチ作動部材の厚さよりも大きくする必要がなくなるため、前記複合スイッチユニットの厚さを薄くして、前記複合スイッチユニットの薄型化を促進することができる。
【００２６】
更に、前記第１操作つまみと前記カバーの表面との摩耗及び前記第１スイッチ作動部材と前記カバーの裏面との摩耗を抑制しつつ、前記第１操作つまみ及び前記第１スイッチ作動部材の回転動作を安定させる共に、前記第２操作つまみと前記カバーの表面との摩耗及び前記第２スイッチ作動部材と前記カバーの裏面との摩耗を抑制しつつ、前記第２操作つまみ及び前記第２スイッチ作動部材の回転動作を安定させることができため、前記複合スイッチユニットの寿命を向上させつつ、前記複合スイッチユニットの操作性を高めて、前記複合スイッチユニットの品質を向上させることができる。
【００２７】
請求項２又は請求項３に記載の発明によれば、前述の効果を奏する他に、前記第１操作つまみと前記第２操作つまみとの摩耗を抑制しつつ、前記第１操作つまみの回転動作をより安定させることができるため、前記複合スイッチユニットの品質をより一層向上させることができる。
【発明を実施するための最良の形態】
【００２８】
第１の本発明の実施の形態ついて図１から図６を参照して説明する。
【００２９】
図１は、図３におけるI-I線に沿った図であって、図２は、図３におけるII-II線に沿った図であって、図３は、発明の実施の形態に係わる複合スイッチユニットの平面図であって、図４は、ユニットベースを除いた発明の実施の形態に係わる複合スイッチユニットの裏側からみた図であって、図５は、発明の実施の形態に係わるカバーの平面図であって、図６は、発明の実施の形態に係わるフレキシブルプリント回路基板を示す図である。なお、「前後」とは、特許公報掲載時の図面の向きを基準として、図１から図５において右左のことをいう。
【００３０】
図３に示すように、第１の発明の実施の形態に係わる複合スイッチユニット１は、ビデオカメラ、デジタルカメラ等の電気機器に用いられ、かつスイッチ操作（入力操作の一つ）をするための部品である。
【００３１】
図３及び図６に示すように、複合スイッチユニット１は板状のユニットベース３を具備しており、このユニットベース３は金属からなるものである。また、ユニットベース３には、フレキシブルプリント回路基板５が設けられており、フレキシブルプリント回路基板５には、導電性の第１スイッチパターン７、導電性の第２スイッチパターン９、及び導電性の第３スイッチパターン１１を有している。
【００３２】
ユニットベース３には、フレキシブルプリント回路基板５の一部を覆うカバー１３が一体的に設けられており、このカバー１３は樹脂からなるものである。なお、カバー１３がユニットベース３に熱カシメにより設けられることによって、フレキシブルプリント回路基板５もユニットベース３に一体的に設けられるようになっている。また、ユニットベース３は、カバー１３と熱カシメを行うための複数の穴（図示省略）を有している。
【００３３】
図１、図２、及び図４に示すように、カバー１３の表面（図１及び図２において上面）には、円弧状の一対の第１ガイド長穴１５が貫通して形成されており、一対の第１ガイド長穴１５は対称関係になるように離隔してある。また、カバー１３の表面には、第１ガイド長穴１５の曲率半径よりも長い曲率半径で第２ガイド長穴１７の曲率中心と同じ曲率中心を基点とした円弧状の一対の第２ガイド長穴１７が貫通して形成されており、一対の第２ガイド長穴１７は対称関係になるように離隔してある。なお、カバー１３の表面における一方の第１ガイド長穴１５と一方の第２ガイド長穴１７の間、及びカバー１３の表面における他方の第１ガイド長穴１５と他方の第２ガイド長穴１７の間には、カバー１３から上下方向へ延びる仕切壁１９がそれぞれ形成されている。
【００３４】
カバー１３の表面における一対の第１ガイド長穴１５の間には、挿入穴２１が形成されており、カバー１３の表面における挿通穴２１の前側には、前記同じ曲率中心を基点とした円弧状の挿通長穴２３が貫通して形成されている。また、カバー１３の裏面（図１及び図２において下面）には、挿通長穴２３に沿った複数のロック用被係合ボス２５が形成されており、カバー１３の表面には、前記同じ曲率中心を基点として円弧状に並んだ複数のクリック用被遊嵌穴２７が貫通して形成されている。更に、カバー１３の表面には、円弧状の複数のレール部２９を有している。
【００３５】
図１から図３に示すように、カバー１３には、リング状の第１操作つまみ３１が回転可能（回転中心は第１ガイド長穴１５の曲率中心と同じ点）に設けられており、この第１操作つまみ３１は樹脂からなるものである。また、第１操作つまみ３１の裏側（図１及び図２において下側）には、一対の第１ガイド長穴１５にそれぞれ案内される一対の第１脚部３３を有してあって、第１操作つまみ３１がカバー１３の表面に局部的に接触するように、第１操作つまみ３１の裏側における第１脚部３３の外側には、カバー１３の表面に局部的に接触する円弧状のフランジ部３５を有している。
【００３６】
一対の第１脚部３３には、略丸形の第１スイッチ作動部材３７が一体的に設けられており、この第１スイッチ作動部材３７は樹脂からなるものであって、第１スイッチ作動部材３７の一部はカバー１３内に位置してある。また、第１スイッチ作動部材３７の中央部には、挿通長穴２３に挿通した筒状の支持部３９を有してあって、第１スイッチ作動部材３７がカバー１３の裏面に局部的に接触するように、第１スイッチ作動部材３７の表側（図１及び図２において上側）には、カバー１３の裏面に局部的に接触する円弧状のフランジ部４１を有している。更に、第１スイッチ作動部材３７の裏側（図１及び図２において下側）には、第１スイッチパターン７上を摺動可能な金属製の第１摺動端子４３を有している。
【００３７】
なお、支持部３９には、ねじりコイルスプリング４５が設けられており、このねじりコイルスプリング４５は、第１操作つまみ３１が中立位置にから回転したときに第１つまみ３１を前記中立位置に復帰させるように付勢するものである。
【００３８】
図１及び図２に示すように、カバー１３には、リング状の円弧状の第２操作つまみ４７が回転可能（回転中心は第１ガイド長穴１５の曲率中心と同じ点）に設けられており、この第２操作つまみ４７は、第１操作つまみ３１の外側に位置してあって、樹脂からなるものである。また、第２操作つまみ４７の裏側（図１及び図２において下側）には、一対の第２ガイド長穴１７にそれぞれ案内される一対の第２脚部４９を有してあって、第２操作つまみ４７がカバー１３の表面に局部的に接触するように、第２操作つまみ４７の裏側における第２脚部４９の外側には、レール部２９に接触する（換言すればカバー１３の表面に局部的に接触する）フランジ部５１を有している。
【００３９】
更に、第２操作つまみ４７が第１操作つまみ３１の裏面に局部的に接触するように、第２操作つまみ４７には、上方向へ突出したリング状のレール部５３が形成されている。そして、第２操作つまみ４７の縁側には、ボタン収容部５５を有してあって、第２操作つまみ４７の裏面におけるボタン収容部５５の反対側には、逃げ凹部５７が形成されている。なお、第２操作つまみ４７が第１操作つまみ３１の裏面に局部的に接触するように構成される代わりに、第２操作つまみ４７が第１操作つまみ３１の側面に局部的に接触するように構成されるようにしてもよい。
【００４０】
図１、図２、及び図４に示すように、一対の第２脚部４９には、円弧状の第２スイッチ作動部材５９が一体的に設けられており、この第２スイッチ作動部材５９は、カバー１３内における第１スイッチ作動部材３７の外側に位置してあって、樹脂からなるものである。また、第２スイッチ作動部材５９はカバー１３の裏面に局部的に接触するように、第１スイッチ作動部材３７の表側には、カバー１３の裏面に局部的に接触するフランジ部６１を有している。更に、第２スイッチ作動部材５９の裏側（図１及び図２において下側）には、第２スイッチパターン９上を摺動可能な金属製の第２摺動端子６３を有している。
【００４１】
第２操作つまみ４７には、クリック作動部材６５が設けられており、このクリック作動部材６５は金属板からなるものである。また、クリック作動部材６５の中央部には、弾性変形によってクリック用被遊嵌穴２７に遊嵌・離脱可能なクリック用遊嵌突起６７を有している。ここで、クリック用遊嵌突起６７がクリック用被遊嵌穴２７から離脱するときに、クリック作動部材６５の一部（クリック用遊嵌突起６７の近傍部）は逃げ凹部５７内に逃げる（進入する）ように構成されている。なお、第１の発明の実施の形態にあっては、クリック作動部材６５全体が弾性変形するものであるが、クリック用遊嵌突起６７のみが弾性変形するようにしてもよい。
【００４２】
一方の第２脚部４９には、ロックバネ６９の一端部が一体的に連結されており、他方の第２脚部４９には、ロックバネ６９の他端部が一体的に連結されている。ここで、ロックバネ６９は金属板からなるものであって、ロックバネ６９全体が弾性変形可能になるように構成されている。
【００４３】
ロックバネ６９の中央部には、係合片７１を有してあって、この係合片７１はカバー１３の裏面側に向かって突出するように段付き状に構成されてあって、係合片７１には、ロック用被係合ボス２５に係合・離脱可能なロック用係合穴７３が貫通して形成されている。なお、第１の発明の実施の形態にあっては、ロック用係合穴７３は貫通して形成されているが、ロック用係合穴７３は必ずしも貫通して形成される必要はない。また、係合片７１の先端部には、被押圧片７５が一体形成されてあって、この被押圧片７５には、連結穴７７が形成されている。ここで、クリック用遊嵌突起６７がいずれかのクリック用被遊嵌穴２７に遊嵌したときにロック用係合穴７３がいずれかのロック用被係合ボス２５に係合できるように構成されている。
【００４４】
ボタン収容部５５には、被押圧片７５をユニットベース３側へ押圧する解除ボタン７９が収容されており、この解除ボタン７９は樹脂からなるものである。そして、解除ボタン７９の基端部は連結穴７７を介して被押圧片７５に連結されてあって、解除ボタン７９の頭部はボタン収容部５５から突出してある。
【００４５】
図１、図２、及び図６に示すように、フレキシブルプリント回路基板５には、ドーム状の第３スイッチ作動部材８１が設けられており、この第３スイッチ作動部材８１はカバー１３内に位置してある。また、第３スイッチ作動部材８１の頂部は弾性変形によって反転復帰可能に構成されてあって、第３スイッチ作動部材８１は第３スイッチパターン１１に接触可能な接触端子８３を有している。
【００４６】
第２操作つまみ３１の中央部には、第３スイッチ作動部材８１の頂部を反転動作させる操作ボタン８５が離脱不能に保持されており、この操作ボタン８５は樹脂からなるものである。また、操作ボタン８５は、ガイド部３９内に挿通して（換言すればガイド部３９を介して挿通穴２１に挿通して）第３スイッチ作動部材８１の頂部に接触するロッド部８７を有している。更に、操作ボタン８５を離脱不能にするため、操作ボタン８５の外周部には、第１操作つまみ３１の開口部３１Ｈの周縁部に下方向から突き当たり可能なフランジ状のストッパ８９が形成されている。
【００４７】
前述の複合スイッチユニット１の発明特定事項に基づいて、発明の実施の形態の作用について説明する。
【００４８】
第１ガイド長穴１５の曲率半径よりも長い曲率半径で第１ガイド長穴１５の曲率中心と同じ曲率中心を基点とした円弧状の第２ガイド長穴１７がカバー１３の表面に貫通して形成されると共に、第１操作つまみ３１が第１ガイド長穴１５に案内される第１脚部３３を有する他に、第２操作つまみ４７が第２ガイド長穴１７に案内される第２脚部４９を有するため、一つのカバー１３に二つの操作つまみ（第１操作つまみ３１と第２操作つまみ４７）を設けることができる。換言すれば、複合スイッチユニット１に二つの操作つまみ３１，４７を具備するのに一つのカバー１３で足りる。
【００４９】
また、第２スイッチ作動部材５９がカバー１３内における第１スイッチ作動部材３７の外側に位置してあるため、カバー１３内の高さを二つのスイッチ作動部材（第１スイッチ作動部材３７と第２スイッチ作動部材５９）の厚さよりも大きくする必要がなくなる。
【００５０】
更に、第１操作つまみ３１の裏側における第１脚部３３の外側には、カバー１３の表面に局部的に接触するフランジ部３５を有してあると共に、第１スイッチ作動部材３７の表側には、カバー１３の裏面に局部的に接触するフランジ部４１を有してあるため、第１操作つまみ３１と第１スイッチ作動部材３７によりカバー１３を挟みつつ、第１操作つまみ３１及び第１スイッチ作動部材３７はカバー１３に回転可能に局部的に支持される。これにより、第１操作つまみ３１とカバー１３の表面との摩耗及び第１スイッチ作動部材３７とカバー１３の裏面との摩耗を抑制しつつ、第１操作つまみ３１及び第１スイッチ作動部材３７の回転動作を安定させることができる。
【００５１】
同様に、第２操作つまみ４７の裏側における第２脚部４９の外側には、カバー１３の表面に局部的に接触するフランジ部５１を有してあると共に、第２スイッチ作動部材５９の表側（図１及び図２において上側）には、カバー１３の裏面に局部的に接触するフランジ部６１を有してるため、第２操作つまみ４７と第２スイッチ作動部材５９によりカバー１３を挟みつつ、第２操作つまみ４７及び第２スイッチ作動部材５９はカバー１３に回転可能に局部的に支持される。これにより、第２操作つまみ４７とカバー１３の表面との摩耗及び第２スイッチ作動部材５９とカバー１３の裏面との摩耗を抑制しつつ、第２操作つまみ４７及び第２スイッチ作動部材５９の回転動作を安定させることができる。
【００５２】
特に、第２操作つまみ４７には、リング状のレール部５３が形成されているため、第１操作つまみ３１がカバー１３の他に第２操作つまみ４７に回転可能に局部的に支持される。これにより、第１操作つまみ３１と第２操作つまみ４７との摩耗を抑制しつつ、第１操作つまみ３１の回転動作をより安定させることができる。
【００５３】
そして、複合スイッチユニット１による複数種のスイッチ操作等は、次のように行う。
【００５４】
第１操作つまみ３１等を動作させて、第１種のスイッチ操作等をする場合は、次のように行う。
【００５５】
即ち、第１操作つまみ３１を押さえつつ、ねじりコイルスプリング４５の付勢力に抗して前記中立位置から回転させることにより、第１スイッチ作動部材３７が第１操作つまみ３１と一体的に回転して、第１摺動端子４３が第１スイッチパターン７上を摺動する。これにより、第１スイッチパターン７と第１摺動端子４３との電気的な接続状態を切り替わって、第１種のスイッチ操作をすることができる。
【００５６】
なお、第１操作つまみ３１の押え状態を解除すると、第１操作つまみ３１はねじりコイルスプリング４５の付勢力によって回転させて、前記中立位置に復帰させるこができる。
【００５７】
第２操作つまみ４７等を動作させて、第２種のスイッチ操作等をする場合は、次のように行う。
【００５８】
即ち、解除ボタン７９の頭部を押して、解除ボタン７９により被押圧片７５をユニットベース３側へ押圧することにより、ロックバネ６９全体をユニットベース３側へ弾性変形させる。これにより、ロック用係合穴７３を適宜のロック用被係合ボス２５から離脱させて、第２操作つまみ４７のロック状態を解除して、第２操作つまみ４７をカバーに対して回転可能なフリー状態にすることができる。
【００５９】
ここで、係合片７１はカバー１３の裏面側に向かって突出するように段付き状に構成されているため、ロックバネ６９全体の弾性変形量が小さくても、ロック用係合穴７３をロック用被係合ボス２５から容易に離脱させることができる。また、係合片７１の先端部に被押圧片７５が一体形成されているため、解除ボタン７９の頭部を押しによって、ロック用係合穴７３をロック用被係合ボス２５から応答性良く離脱させることができる。
【００６０】
そして、解除ボタン７９の頭部を押しつつ、第２操作つまみ４７を回転させることにより、クリック作動部材６５が一体的に回転して、クリック用遊嵌突起６７が弾性変形しつつ所定のクリック用被遊嵌穴２７に遊嵌すると共に、第２スイッチ作動部材５９が第２操作つまみ４７と一体的に回転して、第２摺動端子６３が第２スイッチパターン９上を摺動する。これにより、クリック感を得ながら、第２スイッチパターン９と第２摺動端子６３との電気的な接続状態を切り替わって、第２種のスイッチ操作（入力操作の一つ）をすることができる。
【００６１】
更に、クリック用遊嵌突起６７が所定のクリック用被遊嵌穴２７に遊嵌した状態の下で、解除ボタン７９による押圧状態を解除することにより、ロックバネ６９全体をユニットベース３から離れるように弾性変形させて、第２スイッチ作動部材５９に対する元の位置に復帰させる。これにより、ロック用係合穴７３を所定のロック用被係合ボス２５に係合させて、第２操作つまみ４７をカバー１３に対して回転不能なロック状態にすることができる。
【００６２】
ここで、カバー１３には、挿通長穴２３及び複数のロック用被係合ボス２５が形成されてあって、ロックバネ６９全体が弾性変形可能に構成され、ロックバネ６９が被押圧片７５及びロック用係合穴７３を有しているため、複合スイッチユニット１は解除ボタン７９の他にロックバネ６９を具備すれば、前述のように第２操作つまみ４７をロック状態・フリー状態にすることができる。
【００６３】
操作ボタン８５等を動作させて、第３種のスイッチ操作等をする場合は、次のように行う。
【００６４】
即ち、操作ボタン８５の頭部を押さえて、操作ボタン８５により第３スイッチ作動部材８１の頂部を弾性変形によって反転動作させることにより、接触端子８３が第３スイッチパターン１１に接触する。これにより、第３スイッチパターン１１と接触端子８３との電気的な接続状態がＯＦＦからＯＮに切り替わる。
【００６５】
また、操作ボタン８５の押え状態を解除して、第３スイッチ作動部材８１の頂部を弾性変形によって復帰動作させることにより、接触端子８３が第３スイッチパターン１１から離れる。これにより、第３スイッチパターン１１と接触端子８３との電気的な接続状態がＯＮからＯＦＦに切り替わる。
【００６６】
以上の如き、本発明の実施の形態によれば、複合スイッチユニット１に二つの操作つまみ３１，４７を具備するのに一つのカバー１３で足りるため、複合スイッチユニット１の構成部材を減らして、複合スイッチユニット１の構成の簡略化を図ることができると共に、複合スイッチユニット１の大型化を抑制することができる。
【００６７】
また、カバー１３内の高さを二つのスイッチ作動部材３７，５９の厚さよりも大きくする必要がなくなるため、複合スイッチユニット１の厚さを薄くして、複合スイッチユニット１の薄型化を促進することができる。
【００６８】
更に、第１操作つまみ３１とカバー１３の表面との摩耗及び第１スイッチ作動部材３７とカバー１３の裏面との摩耗を抑制しつつ、第１操作つまみ３１及び第１スイッチ作動部材３７の回転動作を安定させる共に、第２操作つまみ４７とカバー１３の表面との摩耗及び第２スイッチ作動部材５９とカバー１３の裏面との摩耗を抑制しつつ、第２操作つまみ４７及び第２スイッチ作動部材５９の回転動作を安定させることができため、複合スイッチユニット１の寿命を向上させつつ、複合スイッチユニット１の操作性を高めて、複合スイッチユニット１の品質を向上させることができる。特に、第１操作つまみ３１と第２操作つまみ４７との摩耗を抑制しつつ、第１操作つまみ３１の回転動作をより安定させることができるため、複合スイッチユニット１の品質をより一層向上させることができる。
【００６９】
なお、本発明は、前述の発明の実施の形態の説明に限るものでなく、適宜の変更を行うことにより、その他種々の態様で実施可能である。
【図面の簡単な説明】
【００７０】
【図１】図３におけるI-I線に沿った図である。
【図２】図３におけるII-II線に沿った図である。
【図３】発明の実施の形態に係わる複合スイッチユニットの平面図である。
【図４】ユニットベースを除いた発明の実施の形態に係わる複合スイッチユニットの裏側からみた図である。
【図５】発明の実施の形態に係わるカバーの平面図である。
【図６】発明の実施の形態に係わるフレキシブルプリント回路基板を示す図である。
【符号の説明】
【００７１】
１          複合スイッチユニット
３          ユニットベース
５          フレキシブルプリント回路基板
７          第１スイッチパターン
９          第２スイッチパターン
１１          第３スイッチパターン
１３          カバー
１５          第１ガイド長穴
１７          第２ガイド長穴
２１          挿通穴
３１          第１操作つまみ
３３          第１脚部
３５          フランジ部
３７          第１スイッチ作動部材
４１          フランジ部
４３          第１摺動端子
４７          第２操作つまみ
４９          第２脚部
５１          フランジ部
７９          操作ボタン
８１          第３スイッチ作動部材
８３          接触端子
８５          操作ボタン
【図１】
2005123021.tif 000003
【図２】
2005123021.tif 000004
【図３】
2005123021.tif 000005
【図４】
2005123021.tif 000006
【図５】
2005123021.tif 000007
【図６】
2005123021.tif 000008